(57)【要約】  部品間のノイズの相互干渉を防止するシールド壁の低抵抗化を図ることにより、当該シールド壁の特性向上を図る。  高周波モジュール１ａは、配線基板２と、配線基板２の上面２ａに実装された複数の部品３ａ〜３ｅと、配線基板２の上面２ａに積層された部品３ａ〜３ｅを封止する封止樹脂層４と、封止樹脂層４の隣接する部品間に配置されたシールド壁５とを備え、シールド壁５の一部が、配線基板２の上面２ａに立設された金属ピン５ａで構成される。
2016181954.tif 000002
【特許請求の範囲】
【請求項１】
配線基板と、
前記配線基板の主面に実装された複数の部品と、
前記配線基板の前記主面に積層され、前記複数の部品を封止する封止樹脂層と、
前記封止樹脂層内において、前記複数の部品のうち所定の部品と他の部品との間に配置されたシールド壁とを備え、
前記シールド壁は、前記配線基板の前記主面に立設される金属ピンを有することを特徴とする高周波モジュール。
【請求項２】
前記シールド壁は、前記配線基板を平面視して、線状の形状に形成されるとともに、当該線は屈曲部を有し、
前記金属ピンが、前記屈曲部に配置されていることを特徴とする請求項１に記載の高周波モジュール。
【請求項３】
前記金属ピンの一端は、前記配線基板の前記主面に形成されたランド電極に接続され、
前記ランド電極が、前記配線基板に形成されたグランド電極に接続されていることを特徴とする請求項１または２に記載の高周波モジュール。
【請求項４】
前記シールド壁は、前記封止樹脂層に形成された溝を埋める金属膜を有し、前記金属膜の側面は前記金属ピンの側面と接することを特徴とする請求項１ないし３のいずれかに記載の高周波モジュール。
【請求項５】
前記金属膜における金属の純度は、前記金属ピンにおける金属の純度よりも低いことを特徴とする請求項４に記載の高周波モジュール。
【請求項６】
前記シールド壁は、前記配線基板を平面視して、第１の幅を有する第１の線状部分と、前記第１の幅とは異なる第２の幅を有する第２の線状部分とを有し、
前記第１の線状部分と前記第２の線状部分との接点は前記屈曲部であることを特徴とする請求項２に記載の高周波モジュール。
【請求項７】
前記金属膜と前記配線基板との間には、前記封止樹脂層が配置されていることを特徴とする請求項４または５に記載の高周波モジュール。
【請求項８】
前記シールド壁は、前記金属ピンを複数有するとともに、前記配線基板を平面視したときに線状をなすように形成され、
前記複数の金属ピンは、前記配線基板を平面視したときに、前記シールド壁がなす線に沿って配列されていることを特徴とする請求項１に記載の高周波モジュール。
【請求項９】
前記複数の金属ピンは、複数の第１金属ピンと、複数の第２金属ピンとを有し、
前記配線基板を平面視したときに、前記複数の第１金属ピンそれぞれの中心点を結ぶ連結線は前記シールド壁がなす前記線と略平行な線となり、
前記配線基板を平面視したときに、前記複数の第２金属ピンそれぞれの中心は、前記連結線からずれるとともに、一の前記第１金属ピンとこれに隣接する前記第１金属ピンの間に位置していることを特徴とする請求項８に記載の高周波モジュール。
【請求項１０】
前記第２金属ピンの前記配線基板の前記主面と平行な方向の断面積は、前記第１金属ピンの前記配線基板の前記主面と平行な方向の断面積よりも小さいことを特徴とする請求項９に記載の高周波モジュール。
【請求項１１】
前記シールド壁の前記配線基板を平面視したときに形成される線は、屈曲部または湾曲部を有することを特徴とする請求項８ないし１０のいずれかに記載の高周波モジュール。
【請求項１２】
配線基板と、
前記配線基板の主面に実装された部品と、
前記配線基板の前記主面に積層され、前記部品を封止する封止樹脂層と、
前記封止樹脂層の表面のうち少なくとも一部を被覆するシールド層とを備え、
前記シールド層は、前記封止樹脂層の側面に配置された複数の金属ピンを有することを特徴とする高周波モジュール。
【請求項１３】
前記金属ピンの表面に、防錆膜が形成されていることを特徴とする請求項１２に記載の高周波モジュール。
【請求項１４】
前記複数の金属ピンは、前記配線基板の前記主面を囲むように、当該主面の周縁に沿って配列されていることを特徴とする請求項１２または１３に記載の高周波モジュール。
【請求項１５】
前記配線基板の前記主面は、矩形状をなし、
前記複数の金属ピンは、前記配線基板の前記主面と平行な方向の断面に直線部を有し、
前記複数の金属ピンにおける前記直線部は、前記配線基板を平面視したときに、前記配線基板の前記主面の周縁の一部と重なるように配置されている
ことを特徴とする請求項１４に記載の高周波モジュール。
【発明の詳細な説明】
【技術分野】
【０００１】
本発明は、配線基板に実装された部品を被覆する封止樹脂層と、封止樹脂層に積層されたシールド層とを備えるモジュールに関する。
【背景技術】
【０００２】
携帯端末装置などに搭載される高周波モジュールには、電磁波を遮蔽するためのシールド層が設けられる場合がある。この種のモジュールの中には、配線基板上に実装された部品がモールド樹脂で被覆され、該モールド樹脂の表面を被覆するようにシールド層が設けられるものがある。【０００３】
シールド層は、外部からのノイズを遮蔽するために設けられているが、配線基板に複数の部品が実装される場合は、これらの部品から発生するノイズが、他の部品に干渉するという問題がある。そこで、従来では、外部のみならず、実装部品間のノイズを相互に遮蔽するシールド層が設けられたモジュールが提案されている。例えば、図２６に示すように、特許文献１に記載の高周波モジュール１００は、配線基板１０１上に２つの部品１０２が実装され、両部品１０２がモールド樹脂層１０３により封止される。モールド樹脂層１０３の両部品間には、当該モールド樹脂層１０３を貫通するスリットＳが形成される。シールド層１０４は、モールド樹脂層１０３の表面を被覆するとともにスリットＳに充填される導電性樹脂により形成される。また、スリットＳに充填された導電性樹脂は、配線基板１０１に形成されたグランド電極１０５に電気的に接続される。【０００４】
この場合、モールド樹脂層１０３の表面を被覆する導電性樹脂により、部品１０２に対する外部からのノイズを遮蔽できる。また、スリットＳに充填された導電性樹脂により両部品間のノイズの相互干渉を防止することもできる。
【先行技術文献】
【特許文献】
【０００５】
【特許文献１】特開２０１０−２２５６２０号公報（段落００２５〜００２６、図１等参照）
【発明の概要】
【発明が解決しようとする課題】
【０００６】
近年では、高周波モジュールの高性能化に伴って、シールド層の特性のさらなる向上が要求されている。シールド特性の向上には、シールド層の低抵抗化や、シールド層とグランド電極との接続抵抗の低減が必要となる。しかしながら、上記したシールド層１０４を形成する導電性樹脂は、エポキシ樹脂に金属フィラなどを添加するなどして形成されるため、比抵抗が金属フィラ単体よりも高い。そこで、例えば、スパッタなどの成膜技術によりスリットＳ内を金属で充填することが考えられるが、スリットＳが深くなると、底部にまで金属を成膜するのが困難となり、シールド層の低抵抗化が難しいという課題がある。【０００７】
本発明は、上記した課題に鑑みてなされたものであり、部品間のノイズの相互干渉を防止するシールド壁や、封止樹脂層の側面や表面を被覆するシールド層の低抵抗化を図ることにより、当該シールド壁、シールド層の特性向上を図ることを目的とする。
【課題を解決するための手段】
【０００８】
上記した目的を達成するために、本発明の高周波モジュールは、配線基板と、前記配線基板の主面に実装された複数の部品と、前記配線基板の前記主面に積層され、前記複数の部品を封止する封止樹脂層と、前記封止樹脂層内において、前記複数の部品のうち所定の部品と他の部品との間に配置されたシールド壁とを備え、前記シールド壁は、前記配線基板の前記主面に立設される金属ピンを有することを特徴としている。【０００９】
この場合、部品間に配置されたシールド壁が、導電ペーストよりも比抵抗が低い金属ピンを有するため、シールド壁の低抵抗化を図ることができ、これにより、シールド壁によるシールド特性を向上することができる。また、部品間のシールド壁を成膜技術を用いて形成する場合のように、封止樹脂層に設けられた溝が深くなったときに、溝の底部までシールド膜が形成されないという問題も生じない。【００１０】
また、前記シールド壁は、前記配線基板を平面視して、線状の形状に形成されるとともに、当該線は屈曲部を有し、前記金属ピンが、前記屈曲部に配置されていてもよい。なお、本発明において、平面視した場合に、「屈曲部」とは、シールド壁が９０度に折れ曲がっている部分でなくてもよく、シールド壁が、「屈曲部」において鋭角を形成していてもよいし、鈍角を形成していてもよい。【００１１】
実装部品間のシールド壁は、レーザ加工で封止樹脂層に溝を形成し、当該溝に導電性ペーストを充填したりめっき処理などで金属を充填して形成される場合がある。シールド壁の平面視形状に屈曲部を有する場合、当該屈曲部へのレーザ照射時間がそれ以外の部分と比較して長くなるため、当該屈曲部に作用するレーザ光のトータルのエネルギーは、他の箇所と比較して多くなる。この場合、配線基板の配線電極が断線したり変形したりしてダメージを受ける。したがって、シールド壁の一部である金属ピンをレーザ溝の形成前に屈曲部に配置すると、レーザ光のエネルギーの配線基板に対する影響を低減できる。【００１２】
また、前記金属ピンの一端は、前記配線基板の前記主面に形成されたランド電極に接続され、前記ランド電極が、前記配線基板に形成されたグランド電極に接続されていてもよい。この場合、金属ピンの一端とランド電極とを例えば半田などで接続することができる。半田接続の場合、従来のように、封止樹脂層に形成した溝に導電性ペーストを充填してシールド壁を形成する構成と比較して、シールド壁とグランド電極との接続抵抗を低減できるため、シールド壁のシールド特性の向上を図ることができる。【００１３】
また、前記シールド壁は、前記封止樹脂層に形成された溝を埋める金属膜を有し、前記金属膜の側面は前記金属ピンの側面と接していてもよい。この場合、金属ピンのみでシールド壁が構成される場合と比較してシールド壁のシールド特性の向上を図ることができる。【００１４】
また、前記金属膜における金属の純度は、前記金属ピンにおける金属の純度よりも低くてもよい。この場合、シールド壁の金属ピン以外の部分の金属の純度が金属ピンにおける金属の純度よりも低い構成を提供できる。【００１５】
また、前記シールド壁は、前記配線基板を平面視して、第１の幅を有する第１の線状部分と、前記第１の幅とは異なる第２の幅を有する第２の線状部分とを有し、前記第１の線状部分と前記第２の線状部分との接点は前記屈曲部であってもよい。この場合にも、屈曲部に作用するレーザ光のエネルギーは、他の箇所と比較して強くなる。ピンを屈曲部に配置することにより、レーザ光のエネルギーが屈曲部に集中するのを回避できる。【００１６】
また、前記金属膜と前記配線基板との間には、前記封止樹脂層が配置されていてもよい。この場合、ランド電極を、金属ピンを立てる部分のみに設ければよいため、シールド壁を設ける部分全体にランド電極を形成する場合と比較して、部品実装エリアを広く確保することができる。【００１７】
また、前記シールド壁は、前記金属ピンを複数有するとともに、前記配線基板を平面視したときに線状をなすように形成され、前記複数の金属ピンは、前記配線基板を平面視したときに、前記シールド壁がなす線に沿って配列されていてもよい。この構成によると、シールド壁が、比抵抗の低い金属ピンを複数有するため、シールド特性のさらなる向上を図ることができる。また、従来のシールド壁のように、封止樹脂層にレーザで溝を形成する場合は、溝形状に制約があるが、例えば、シールド壁を複数の金属ピンのみで形成した場合は、シールド壁用の溝を形成する必要がないため、このような制約がなく任意な形状のシールド壁を得ることができる。また、溝形成の際、レーザが配線基板にダメージを与えることがないため、配線基板の薄型化に対応できる。【００１８】
また、前記複数の金属ピンは、複数の第１金属ピンと、複数の第２金属ピンとを有し、前記配線基板を平面視したときに、前記複数の第１金属ピンそれぞれの中心点を結ぶ連結線は前記シールド壁がなす前記線と略平行な線となり、前記配線基板を平面視したときに、前記複数の第２金属ピンそれぞれの中心は、前記連結線からずれるとともに、一の前記第１金属ピンとこれに隣接する前記第１金属ピンの間に位置していてもよい。【００１９】
例えば、シールド壁を金属ピンのみで形成する場合、部品間のシールド特性の向上を図るには、隣接する金属ピン間に隙間がないようにする必要がある。しかしながら、複数の金属ピンを隙間がないように１列に並べるのは困難である。この構成によると、例えば、各第１金属ピンを配置したあとに、各第２金属ピンを配置するようにすれば、隣接する金属ピン間に隙間が少ないシールド壁を容易に形成することができる。【００２０】
また、前記第２金属ピンの前記配線基板の前記主面と平行な方向の断面積は、前記第１金属ピンの前記配線基板の前記主面と平行な方向の断面積よりも小さくてもよい。この構成によると、隣接する金属ピン間の隙間を減らしてシールド特性を向上させつつ、シールド壁の小型化を図ることができる。【００２１】
また、前記シールド壁の前記配線基板を平面視したときに形成される線は、屈曲部または湾曲部を有していてもよい。この場合、部品の配置自由度の向上を図ることができる。【００２２】
また、本発明の他の高周波モジュールは、配線基板と、前記配線基板の主面に実装された複数の部品と、前記配線基板の前記主面に積層され、前記複数の部品を封止する封止樹脂層と、前記封止樹脂層の表面のうち少なくとも一部を被覆するシールド層とを備え、前記シールド層は、前記封止樹脂層の側面に配置された複数の金属ピンを有することを特徴としている。【００２３】
この構成によると、外部からの不要な電磁波などを遮蔽するシールド層が、比抵抗の低い複数の金属ピンを有するため、シールド特性の向上を図ることができる。【００２４】
また、前記金属ピンの表面に、防錆膜が形成されていてもよい。この場合、各金属ピンの酸化を防止できるため、シールド層の特性が各金属ピンの酸化により劣化するのを防止できる。【００２５】
また、前記複数の金属ピンは、前記配線基板の前記主面を囲むように、当該主面の周縁に沿って配列されていてもよい。この場合、高周波モジュールの側面方向のシールド特性の向上を図ることができる。【００２６】
また、前記配線基板の前記主面は、矩形状をなし、前記複数の金属ピンは、いずれも前記配線基板の前記主面と平行な方向の断面に直線部を有し、前記複数の金属ピンにおける前記直線部は、前記配線基板を平面視したときに、前記配線基板の前記主面の周縁の一部と重なるように配置されていてもよい。この種の高周波モジュールは、例えば、マトリクス状に配列された複数の高周波モジュールの集合体を形成した後、ダイシングで個片化することで製造される場合がある。この場合、隣接する高周波モジュールの境界を跨ぐように各金属ピンを配置して境界にダイシングを行うと、各金属ピンに直線部が形成されるとともに、当該直線部が、配線基板の周縁の一部と重なる。したがって、各金属ピンの断面に直線部を有し、この直線部が配線基板の主面の周縁の一部と重なるように各金属ピンが配置される構成は、上述の多数個取りの高周波モジュールの製造方法に好適である。
【発明の効果】
【００２７】
本発明によれば、部品間に配置されたシールド壁や、封止樹脂層の側面を覆うシールド層の一部が、導電ペーストよりも比抵抗が低い金属ピンで構成されるため、シールドの低抵抗化を図ることができる。
【図面の簡単な説明】
【００２８】
【図１】本発明の第１実施形態にかかる高周波モジュールの平面図である。
【図２】図１のＡ−Ａ矢視断面図である。
【図３】図１のシールド壁の変形例を示す図である。
【図４】本発明の第２実施形態にかかる高周波モジュールの平面図である。
【図５】図４のＢ−Ｂ矢視断面図である。
【図６】図４のシールド壁の変形例を示す図である。
【図７】本発明の第３実施形態にかかる高周波モジュールの平面図である。
【図８】本発明の第４実施形態にかかる高周波モジュールの平面図である。
【図９】本発明の第５実施形態にかかる高周波モジュールの平面図である。
【図１０】本発明の第６実施形態にかかる高周波モジュールの平面図である。
【図１１】図１０のＣ−Ｃ矢視断面図である。
【図１２】本発明の第７実施形態にかかる高周波モジュールの平面図である。
【図１３】図１２の金属ピンの配列を説明するための図である。
【図１４】図１２のシールド用電極の変形例を示す図である。
【図１５】図１２の金属ピンの変形例を示す図である。
【図１６】図１５の金属ピンを実装するためのランド電極を示す図である。
【図１７】本発明の第８実施形態にかかる高周波モジュールの平面図である。
【図１８】本発明の第９実施形態にかかる高周波モジュールの平面図である。
【図１９】本発明の第１０実施形態にかかる高周波モジュールの平面図である。
【図２０】図１９のＤ−Ｄ矢視断面図である。
【図２１】図１９のシールド膜の変形例を示す図である。
【図２２】図２１のＥ−Ｅ矢視断面図である。
【図２３】本発明の第１１実施形態にかかる高周波モジュールの平面図である。
【図２４】本発明の第１２実施形態にかかる高周波モジュールの平面図である。
【図２５】本発明の第１３実施形態にかかる高周波モジュールの平面図である。
【図２６】従来の高周波モジュールの断面図である。
【発明を実施するための形態】
【００２９】
＜第１実施形態＞
本発明の第１実施形態にかかる高周波モジュール１ａについて、図１および図２を参照して説明する。なお、図１は高周波モジュールの平面図、図２は図１のＡ−Ａ矢視断面図である。また、図１では、シールド膜６の天面部分および封止樹脂層４を図示省略している。
【００３０】
この実施形態にかかる高周波モジュール１ａは、図１および図２に示すように、配線基板２と、該配線基板２の上面２ａに実装された複数の部品３ａ，３ｂと、配線基板２の上面２ａに積層された封止樹脂層４と、封止樹脂層４の表面を被覆するシールド膜６と、封止樹脂層４内に設けられたシールド壁５とを備え、例えば、高周波信号が用いられる電子機器のマザー基板等に搭載される。
【００３１】
配線基板２は、例えば、低温同時焼成セラミックやガラスエポキシ樹脂などで形成され、上面２ａ（本発明の「配線基板の主面」に相当）には、各部品３ａ，３ｂの実装用の実装電極（図示省略）や後述する金属ピン５ａを実装するためのランド電極７が形成される。また、この実施形態では、配線基板２は多層構造を有し、内部には、各種配線電極８や複数のビア導体９が形成される。
【００３２】
各ランド電極７、実装電極および配線電極８は、それぞれＣｕやＡｌ等の配線電極として一般的に採用される金属で形成されている。また、各ビア導体９は、ＡｇやＣｕ等の金属で形成されている。なお、各ランド電極７や実装電極には、Ｎｉ／Ａｕめっきがそれぞれ施されていてもよい。
【００３３】
各部品３ａ〜３ｅは、ＳｉやＧａＡｓ等の半導体で形成された半導体素子や、チップインダクタ、チップコンデンサ、チップ抵抗等のチップ部品で構成される。
【００３４】
封止樹脂層４は、配線基板２の上面２ａと各部品３ａ，３ｂとを被覆するように配線基板２に積層される。封止樹脂層４は、エポキシ樹脂等の封止樹脂として一般的に採用される樹脂で形成することができる。
【００３５】
シールド膜６は、配線基板２内の各種配線電極８や各部品３ａ〜３ｅに対する外部からのノイズを遮蔽するためのものであり、封止樹脂層４の配線基板２の上面２ａとの反対面４ａおよび周側面４ｂ、並びに配線基板２の側面２ｂを被覆するように封止樹脂層４に積層される。
【００３６】
また、シールド膜６は、封止樹脂層４の表面に積層された密着膜と、密着膜に積層された導電膜と、導電膜に積層された保護膜とを有する多層構造で形成することができる。シールド膜６は、配線基板２の側面２ｂに露出した図示省略のグランド電極と電気的に接続されている。
【００３７】
密着膜は、導電膜と封止樹脂層４との密着強度を高めるために設けられたものであり、例えば、ＳＵＳなどの金属で形成することができる。密着膜は、ＴｉやＣｒ、Ｎｉ等であってもよい。導電膜は、シールド膜６の実質的なシールド機能を担う層であり、例えば、Ｃｕ、Ａｇ、Ａｌのうちのいずれかの金属で形成することができる。保護膜は、導電膜が腐食したり、傷が付くのを防止するために設けられたものであり、例えば、ＳＵＳで形成することができる。なお、保護膜は、ＴｉやＣｒ、Ｎｉ等であってもよい。
【００３８】
シールド壁５は、封止樹脂層４内で所定の部品３ａ〜３ｅ間に配置され、その一部が複数の金属ピン５ａで構成されるとともに、残りの部分５ｂが導電性ペーストで構成される。具体的には、図１に示すように、この実施形態のシールド壁５は、配線基板２の上面２ａの中央部に配置された３つの部品３ａ，３ｄを囲むように配置され、当該各部品３ａ，３ｄと他の部品３ｂ，３ｃ，３ｅとの間でノイズの相互干渉を防止する。また、シールド壁５は、その上端部がシールド膜６の天面と電気的に接続される。
【００３９】
また、シールド壁５は、配線基板２の上面２ａに垂直な方向から見た平面視（以下、平面視という）で線状に形成されるとともに、当該線は複数の屈曲部を有し、該屈曲部それぞれに金属ピン５ａが配置される。各金属ピン５ａの下端部は、いずれも配線基板２の上面２ａに形成されたランド電極７に半田で接続（実装）される。各ランド電極７の少なくとも１つは、配線基板２の内部に形成された図示省略のグランド電極に接続されている。
【００４０】
また、シールド壁５の残りの部分５ｂは、配線基板２の上面２ａとの間に封止樹脂層４の樹脂が介在するように設けられる。
【００４１】
各金属ピン５ａは、Ｃｕ、Ａｕ、Ａｇ、ＡｌやＣｕ系の合金など、配線電極として一般的に採用される金属材料からなる線材をせん断加工するなどして形成される。シールド壁５の残りの部分５ｂを形成する導電性ペーストは、例えば、Ｃｕ、Ａｇ、Ａｌのいずれかの金属フィラを含有する有機溶剤などで形成されている。
【００４２】
（高周波モジュールの製造方法）
次に、高周波モジュール１ａの製造方法について説明する。まず、各種配線電極８やビア導体９が形成された配線基板２を準備し、その上面２ａに各部品３ａ〜３ｅを半田実装などの周知の表面実装技術を用いて実装する。このとき、各金属ピン５ａも半田を用いて実装する。
【００４３】
次に、各部品３ａ〜３ｅおよび各金属ピン５ａを被覆するように、配線基板２の上面２ａに封止樹脂層４を積層する。封止樹脂層４は、例えば、塗布方式、印刷方式、トランスファモールド方式、コンプレッションモールド方式などで形成することができる。
【００４４】
次に、各金属ピン５ａの上端が、封止樹脂層４の反対面４ａに露出するように、封止樹脂層４の表面を研磨または研削する。
【００４５】
次に、封止樹脂層４の反対面４ａ側からシールド壁５を配置する箇所にレーザを照射して溝を形成する。当該溝は、図２に示すように、配線基板２の上面２ａに達しない程度の深さで形成する。なお、レーザ加工に代えて、ドリル加工により溝を形成してもよい。
【００４６】
次に、塗布方式や印刷方式などにより、例えば、Ｃｕフィラを含有する導電性ペーストを封止樹脂層４に形成した溝に充填して、シールド壁５を形成する。
【００４７】
次に、スパッタ装置や真空蒸着装置を用いて、封止樹脂層４の表面（反対面４ａおよび周側面４ｂ）および配線基板２の側面２ｂを被覆するようにシールド膜６を成膜して、高周波モジュール１ａが完成する。なお、シールド壁５の各金属ピン５ａ以外の部分５ｂを、シールド膜６と同様の成膜技術を用いて形成してもよい。この場合、シールド膜６の成膜時に、併せて封止樹脂層４のシールド壁５用の溝を埋めるようにすればよい。
【００４８】
したがって、上記した実施形態によれば、部品３ａ〜３ｅ間に配置されたシールド壁５の一部が、導電ペーストよりも比抵抗が低い金属ピン５ａで構成されるため、シールド壁５の低抵抗化を図ることができ、これにより、シールド壁５によるシールド特性を向上することができる。また、部品３ａ〜３ｅ間のシールド壁５を成膜技術を用いて形成する場合のように、封止樹脂層４に設けられた溝が深くなったときに、シールド壁用の膜が溝の底部まで形成されないという問題も生じない。また、シールド壁と接続する配線導体を、金属ピンを立てる部分のみに設ければよいため、シールド壁部分すべてに配線導体を用意する場合と比較して部品実装エリアを広く確保できる。
【００４９】
ところで、部品３ａ〜３ｅ間に配置されたシールド壁５は、レーザ加工で封止樹脂層４に溝を形成し、当該溝に導電性ペーストを充填したりめっき処理などで金属を充填して形成される場合がある。シールド壁５の平面視形状に屈曲部を有する場合、当該屈曲部には、溝形成時のレーザ光の熱エネルギーが他の箇所と比較して強く作用する。この場合、配線基板２の配線電極８が断線したり変形したりしてダメージを受ける。そこで、例えば、レーザ溝の形成前に当該屈曲部に金属ピン５ａを配置すれば、レーザ光の熱エネルギーによる配線基板２の配線電極８に与えるダメージを低減することができる。また、ドリル加工でシールド壁５用の溝を形成する場合も同様に、屈曲部において配線基板２への衝撃が強くなるが、当該屈曲部に各金属ピン５ａを配置することで、ドリル加工時の配線基板２への衝撃を低減することができる。
【００５０】
また、各金属ピン５ａの下端部を配線基板２のランド電極７に半田接続することにより、シールド壁５と配線基板２のグランド電極とが接続される。この構成によると、従来のように、封止樹脂層に形成した溝に導電性ペーストを充填してシールド壁を形成する構成と比較して、シールド壁５と配線基板２のグランド電極との接続抵抗を低減できるため、シールド壁５のシールド特性の向上を図ることができる。また、各金属ピン５ａと各ランド電極７とを半田で接続することにより、従来と比較してシールド壁５と配線基板２との接続信頼性を向上することができる。
【００５１】
（シールド壁５の変形例）
封止樹脂層４に形成するシールド壁５用の溝を、例えば、図３に示すように、配線基板２の上面２ａに達するように形成してもよい。この場合、配線基板２の上面２ａにおける、平面視でシールド壁５に重なる領域の略全てにシールド用電極１０を形成し、該シールド用電極１０に各金属ピン５ａを実装する。この構成によると、シールド用電極１０のレーザ光の反射効果により、レーザ加工によるシールド壁５用の溝形成時に、レーザ光の熱エネルギーに起因する配線基板２へのダメージを低減できる。
【００５２】
＜第２実施形態＞
本発明の第２実施形態にかかる高周波モジュール１ｂについて、図４および図５を参照して説明する。なお、図４は高周波モジュール１ｂの平面図、図５は図４のＢ−Ｂ矢視断面図である。また、図４では、シールド膜６の天面部分および封止樹脂層４を図示省略している。
【００５３】
この実施形態の高周波モジュール１ｂが、図１および図２を参照して説明した第１実施形態の高周波モジュール１ａと異なるところは、図４および図５に示すように、シールド壁５０の構成が異なることである。その他の構成は、第１実施形態の高周波モジュール１ａと同じであるため、同一符号を付すことにより説明を省略する。
【００５４】
この場合、平面視において、シールド壁５０の各屈曲部以外の箇所にも複数の金属ピン５ａが配置される。また、配線基板２の上面２ａには、各金属ピン５ａの実装箇所それぞれにランド電極７が形成される。
【００５５】
この構成によると、導電性ペーストよりも比抵抗が低い金属ピン５ａの数を増やすことで、シールド壁５０全体の抵抗値を下げることができるため、シールド壁５０による部品３ａ〜３ｅ間のシールド特性をさらに向上できる。また、シールド壁５０と配線基板２のグランド電極との接続抵抗をさらに低減できる。
【００５６】
（シールド壁５０の変形例）
封止樹脂層４に形成するシールド壁５０用の溝を、例えば、図６に示すように、配線基板２の上面２ａに達するように形成してもよい。また、図３に示したシールド壁５の変形例と同様に、配線基板２の上面２ａにおける、平面視でシールド壁５０に重なる領域の略全てにシールド用電極を形成し、該シールド用電極に各金属ピン５ａを実装する構成であってもよい。また、図示していないが、シールド壁用の溝の下に、金属ピンを立てる部分の配線電極とは別の配線電極を設けてもよい。
【００５７】
＜第３実施形態＞
本発明の第３実施形態にかかる高周波モジュール１ｃについて、図７を参照して説明する。なお、図７は高周波モジュール１ｃの平面図であって、図１に対応する図である。
【００５８】
この実施形態にかかる高周波モジュール１ｃが、図１および図２を参照して説明した第１実施形態の高周波モジュール１ａと異なるところは、図７に示すように、シールド壁５１の構成が異なることである。その他の構成は、第１実施形態の高周波モジュール１ａと同じであるため、同一符号を付すことにより説明を省略する。
【００５９】
第１実施形態のシールド壁５は、配線基板２の上面２ａの中央部に配置された各部品３ａ，３ｄを囲むように配置される場合について説明したが、この実施形態のシールド壁５１は、配線基板２の上面２ａを２つの領域に区切るように配置される。このように、シールド壁５１の配置は、相互干渉を防止したい部品３ａ〜３ｅの配置に応じて適宜変更すればよい。
【００６０】
＜第４実施形態＞
本発明の第４実施形態にかかる高周波モジュール１ｄについて、図８を参照して説明する。なお、図８は高周波モジュール１ｄの平面図であって、図１に対応する図である。
【００６１】
この実施形態にかかる高周波モジュール１ｄが、図１および図２を参照して説明した第１実施形態の高周波モジュール１ａと異なるところは、図８に示すように、シールド壁５２の構成が異なることである。その他の構成は、第１実施形態の高周波モジュール１ａと同じであるため、同一符号を付すことにより説明を省略する。
【００６２】
この場合、シールド壁５２は、相互干渉を防止したい部品間のみに配置される。具体的には、図８に示すように、シールド壁５２は、配線基板２の上面２ａの中央の部品３ａとこれに隣接する部品３ｂの間に配置された平面視横長矩形状の部分（本発明の「第１の線状部分」に相当）と、部品３ａと、これに隣接する部品３ｄおよび部品３ｃとの間に配置され、当該横長矩形状の部分と垂直方向に延びる平面視縦長矩形状の部分（本発明の「第２の線状部分」に相当）とが合成されたような平面視形状を有する。そして、これらの部分の接続部に金属ピン５ａが配置される。また、シールド壁５２の横長矩形状の部分の平面視での幅Ｗ１（本発明の「第１の幅」に相当）が、縦長矩形状の部分の幅Ｗ２（本発明の「第２の幅」に相当）よりも大きく形成される。なお、本発明においては、図８に示す横長矩形状の部分と縦長矩形状の部分との接続部のように、配線基板を平面視して、一方の矩形状部分の長辺に他方の矩形状部分の端部が接する接続部も、「屈曲部」と呼ぶ。また、図示はしないが、配線基板２を平面視して、２つの矩形状部分が交差する交差点も、「屈曲部」と呼ぶ。
【００６３】
このように、相互干渉の防止が特に必要な部品間のみにシールド壁５２を配置することで、配線基板２の上面２ａの設計自由度の向上を図ることができる。また、横長矩形状の部分の幅Ｗ１を縦長矩形状の部分の幅Ｗ２よりも大きくすることで、横長矩形状の部分のシールド特性を縦長矩形状の部分よりも高めることができる。すなわち、部品間の相互干渉を防止するに当たり、要求されるシールド特性に応じてシールド壁５２の幅を適宜変更すればよく、このようにすると、部品実装領域を確保しながら、部品間のノイズの相互干渉を効率的に防止することができる。
【００６４】
＜第５実施形態＞
本発明の第５実施形態にかかる高周波モジュール１ｅについて、図９を参照して説明する。なお、図９は高周波モジュール１ｅの平面図であって、図１に対応する図である。
【００６５】
この実施形態にかかる高周波モジュール１ｅが、図８を参照して説明した第４実施形態の高周波モジュール１ｄと異なるところは、図９に示すように、シールド壁５３の構成が異なることである。その他の構成は、第４実施形態の高周波モジュール１ｄと同じであるため、同一符号を付すことにより説明を省略する。
【００６６】
この場合、図９に示すように、シールド壁５３には、横長矩形状の部分と縦長矩形状の部分の接続部に加え、矩形状の両部分の端部それぞれにさらに金属ピン５ａが配置される。
【００６７】
この構成によると、第４実施形態のシールド壁５２と比較して、シールド壁５３を構成する金属ピン５ａの数が増えるため、第４実施形態のシールド壁５２と比較して、シールド壁５３全体の抵抗値や配線基板２のグランド電極との接続抵抗を下げることができる。
【００６８】
＜第６実施形態＞
本発明の第６実施形態にかかる高周波モジュール１ｆについて、図１０および図１１を参照して説明する。なお、図１０は高周波モジュール１ｆの平面図であって、図１に対応する図、図１１は図１０のＣ−Ｃ矢視断面図である。
【００６９】
この実施形態にかかる高周波モジュール１ｆが、図１および図２を参照して説明した第１実施形態の高周波モジュール１ａと異なるところは、図１０および図１１に示すように、シールド壁５４の構成が異なることと、金属ピン５ａを実装する電極の形状が異なることと、部品３ｆ〜３ｉの配置構成が異なることである。その他の構成は、第１実施形態の高周波モジュール１ａと同じであるため、同一符号を付すことにより説明を省略する。
【００７０】
この場合、シールド壁５４は、複数の金属ピン５ａで構成され、配線基板２の上面２ａを２つの領域に仕切るように配置される。このとき、図１０に示すように、各金属ピン５ａは、略隙間なく１列に配列されるとともに、配線基板２を平面視したときに折れ線状をなすように配列される。そのため、シールド壁５４は、配線基板２を平面視したときに屈曲部を有する。また、配線基板２の上面２ａには、金属ピン５ａの実装用のランド電極７に代えて、図３に示したシールド用電極１０と同様のシールド用電極１０ａが形成される。このシールド用電極１０ａは、金属ピン５ａの配列方向に合せて、所定の幅を持った折れ線状に形成される。
【００７１】
部品３ｆ〜３ｉは、図１等に示した部品３ａ〜３ｅと同様、ＳｉやＧａＡｓ等の半導体で形成された半導体素子や、チップインダクタ、チップコンデンサ、チップ抵抗等のチップ部品で構成される。
【００７２】
この構成によると、シールド壁５４が、比抵抗の低い複数の金属ピン５ａで構成されるため、シールド特性のさらなる向上を図ることができる。また、従来の部品間のノイズの相互干渉の防止用のシールド壁のように、封止樹脂層にレーザでシールド壁用の溝を形成する場合は、溝形状に制約がある。しかしながら、シールド壁を複数の金属ピン５ａのみで構成すると、シールド壁用の溝を形成する必要がないため、このような制約がなく任意な形状のシールド壁５４を得ることができる。また、シールド壁５４の形状の自由度が向上することで、部品３ｆ〜３ｉを配置させる際の自由度の向上を図ることができる。
【００７３】
また、シールド壁用の溝に導電性ペーストを埋める構成では、導電性ペーストの溝への充填性の観点から、６００μｍ程度を超える溝幅が必要になる場合があるが、金属ピン５ａの場合はφ１００μｍ程度から適用可能であり、６００μｍもの大きさは必要ない。また、シールド壁用の溝を、レーザを用いて封止樹脂層４を貫通する深さで形成する場合、配線基板２へのダメージを減らすためにシールド用電極１０（図３参照）の幅を広くするのが好ましいが、金属ピン５ａの場合は、実装に必要な幅でよく、溝形成の場合よりも幅を小さくできる。また、溝形成の場合は、レーザ光の部品３ｆ〜３ｉへの影響を避けるために部品をシールド壁用の溝からある程度離す必要があるが、レーザを使用しないシールド壁５４の場合は、この距離も必要がない。したがって、部品３ｆ〜３ｉを容易にシールド壁５４に近づけることができ、高周波モジュール１ｆの小型化を図ることができる。また、溝形成の際にレーザが配線基板２にダメージを与えるということが生じ得ないため、配線基板２の薄型化に対応できる。
【００７４】
＜第７実施形態＞
本発明の第７実施形態にかかる高周波モジュール１ｇについて、図１２および図１３を参照して説明する。なお、図１２は高周波モジュール１ｇの平面図であって、図１に対応する図、図１３は図１２の金属ピン５ａ１，５ａ２の配列を説明するための図である。なお、図１３では配線基板２を平面視したときの一部の金属ピン５ａ１，５ａ２を図示している。
【００７５】
この実施形態にかかる高周波モジュール１ｇが、図１０および図１１を参照して説明した第６実施形態の高周波モジュール１ｆと異なるところは、図１２に示すように、シールド壁５５を構成する金属ピン５ａ１，５ａ２の配列が異なることである。その他の構成は、第６実施形態の高周波モジュール１ｆと同じであるため、同一符号を付すことにより説明を省略する。
【００７６】
この場合、シールド壁５５が、複数の第１金属ピン５ａ１と、複数の第２金属ピン５ａ２で形成される。このとき、図１３に示すように、各第１金属ピン５ａ１は、配線基板２を平面視したときに、ぞれぞれの中心点ｃｐ１を結ぶ連結線Ｌがシールド壁５５のなす線と略平行な線となるように所定の間隔を空けて１列に配列される。一方、各第２金属ピン５ａ２は、それぞれの中心点ｃｐ２が連結線Ｌからずれるとともに、一の第１金属ピン５ａ１と、これに隣接する第１金属ピン５ａ１の間に位置するように、それぞれ第１金属ピン５ａ１に近接して配置される。換言すると、例えば、図１３の連結線Ｌと垂直な方向からシールド壁５５を見たときに、隣接する第１金属ピン５ａ１間には隙間が生じるが、この隙間を第２金属ピン５ａ２が塞ぐように配置される。各金属ピン５ａ１，５ａ２の実装は、まず各第１金属ピン５ａ１を所定の間隔で実装した後、各第１金属ピン５ａ１の隙間を埋めるように各第２金属ピン５ａ２を実装する。
【００７７】
この構成によると、隣接する金属ピン５ａ１，５ａ２間に隙間が少ないシールド壁５５を容易に形成するため、シールド特性のさらなる向上を図ることができる。
【００７８】
なお、この実施形態では、各第２金属ピン５ａ２が、いずれも図１３における連結線Ｌの右側で第１金属ピン５ａ１に近接して配置される場合について説明したが、各第２金属ピン５ａ２の一部または全部が当該連結線Ｌの左側で第１金属ピン５ａ２に近接して配置されていてもよい。また、シールド用電極１０ａの形状は、適宜変更することができる。例えば、図１４に示すように、配線基板２の上面２ａにおける各金属ピン５ａ１，５ａ２の実装位置それぞれに配置された、金属ピン５ａ１，５ａ２の断面（配線基板２の上面２ａと平行な方向の断面：横断面）よりも一回り大きいランド電極が連なって一体化したような形状でシールド用電極１０ｂを形成してもよい。このようにすると、各金属ピン５ａ１，５ａ２を半田実装する際、セルフアライメント効果を利用して所望の位置に容易に配置できる。
【００７９】
また、図１５に示すように、第２金属ピン５ａ２の径Ｗ１０を、第１金属ピン５ａ１の径Ｗ２０よりも小さくしてもよい。このようにすると、隣接する金属ピン５ａ１，５ａ２間の隙間を小さくしてシールド特性を向上しつつ、シールド壁５５の幅Ｗ３を小さくすることができる。また、図１６に示すように、この構成でもシールド用電極１０ｃを、図１４に示したシールド用電極１０ｂと同様の形状に形成してもよい。
【００８０】
＜第８実施形態＞
本発明の第８実施形態にかかる高周波モジュール１ｈについて、図１７を参照して説明する。なお、図１７は高周波モジュール１ｈの平面図であって、図１に対応する図である。
【００８１】
この実施形態にかかる高周波モジュール１ｈが、図１０および図１１を参照して説明した第６実施形態の高周波モジュール１ｆと異なるところは、図１７に示すように、シールド壁５６を構成する金属ピン５ａの数が異なることである。その他の構成は、第６実施形態の高周波モジュール１ｆと同じであるため、同一符号を付すことにより説明を省略する。
【００８２】
この場合、図１７に示すように、配線基板２を平面視したときに、シールド用電極１０ａの略全体に金属ピン５ａが、シールド壁５６の幅方向に複数個実装される。このようにすると、シールド壁５６のシールド特性の向上を図ることができる。
【００８３】
＜第９実施形態＞
本発明の第９実施形態にかかる高周波モジュール１ｉについて、図１８を参照して説明する。なお、図１８は高周波モジュール１ｉの平面図であって、図１に対応する図である。
【００８４】
この実施形態にかかる高周波モジュール１ｉが、図１０および図１１を参照して説明した第６実施形態の高周波モジュール１ｆと異なるところは、図１８に示すように、シールド壁５７の構成が異なることと、シールド用電極１０ｄの形状が異なることである。その他の構成は、第６実施形態の高周波モジュール１ｆと同じであるため、同一符号を付すことにより説明を省略する。
【００８５】
この場合、各金属ピン５ａは、シールド壁５７が配線基板２を平面視したときに湾曲部を有するように配列される。また、シールド用電極１０ｄは、金属ピン５ａの配列方向に合せて、湾曲部を有する線状に形成される。
【００８６】
この構成によると、配線基板２に実装する部品３ｆ〜３ｉの配置自由度の向上を図ることができる。
【００８７】
＜第１０実施形態＞
本発明の第１０実施形態にかかる高周波モジュール１ｊについて、図１９および図２０を参照して説明する。なお、図１９は高周波モジュール１ｊの平面図であって、図１に対応する図、図２０は図１９のＤ−Ｄ矢視断面図である。
【００８８】
この実施形態にかかる高周波モジュール１ｊが、図１０および図１１を参照して説明した第６実施形態の高周波モジュール１ｆと異なるところは、図１９に示すように、シールド壁５８の構成が異なることと、シールド用電極１０ｅの形状が異なることと、部品の配置構成が異なることである。その他の構成は、第６実施形態の高周波モジュール１ｆと同じであるため、同一符号を付すことにより説明を省略する。
【００８９】
この場合、シールド壁５８は、配線基板２の上面２ａの中央付近に実装された１つの部品３ｊを囲むように形成される。また、シールド壁５８は、複数の金属ピン５ａで構成され、これらの金属ピン５ａが部品３ｊの周囲を囲むように配列される。このとき、各金属ピン５ａは、隣接する金属ピン５ａとの間でほとんど隙間がない状態で配置される。シールド用電極１０ｅは、各金属ピン５ａの配置に合わせて、部品３ｊの周囲を囲むように環状に形成される。
【００９０】
この構成によると、シールド壁５８が所定の領域を囲むように形成される場合において、第６実施形態の高周波モジュール１ｆと同様の効果を得ることができる。
【００９１】
（シールド膜の変形例）
高周波モジュール１ｊにおいて、シールド膜６が被覆する領域は、適宜変更することができる。例えば、図２１および図２２に示すように、シールド膜６が、封止樹脂層４の反対面４ａにおける、シールド壁５８が所定の部品３ｊを囲む領域のみを被覆するように形成されていてもよい。この場合、各金属ピン５ａの上端面は、いずれもシールド膜６の周端部に接続される。この構成は、特定の部品３ｊのみをシールドしたい場合に好適である。ここで、図２１は図１９のシールド膜の変形例を示す図で図１に対応する図、図２２は図２１のＥ−Ｅ矢視断面図である。なお、このように、特定の部品３ｊのみをシールドする場合、当該特定の部品３ｊのみに封止樹脂層４を形成するようにしてもよい。
【００９２】
＜第１１実施形態＞
本発明の第１１実施形態にかかる高周波モジュール１ｋについて、図２３を参照して説明する。なお、図２３は高周波モジュール１ｋの平面図であって、図１に対応する図である。
【００９３】
この実施形態にかかる高周波モジュール１ｋが、図１０および図１１を参照して説明した第６実施形態の高周波モジュール１ｆと異なるところは、図２３に示すように、シールド膜６と複数のシールド用金属ピン５ｃとで形成されたシールド層６０を備えることである。その他の構成は、第６実施形態の高周波モジュール１ｆと同じであるため、同一符号を付すことにより説明を省略する。
【００９４】
この場合、複数のシールド層用金属ピン５ｃは、配線基板２の上面２ａの周縁部に所定の間隔を空けて配置される。また、各シールド層用金属ピン５ｃは、配線基板２の上面２ａを囲むように、当該上面２ａの周縁に沿って配列される。また、配線基板２の上面２ａの周縁部には、各シールド層用金属ピン５ｃの実装用のシールド層用金属ピン実装電極１１が形成される。また、各シールド層用金属ピン５ｃとシールド膜とは電気的に接続されている。
【００９５】
上述のように、シールド膜６がスパッタ法などで成膜すると、封止樹脂層４の周側面４ｂの膜厚が、封止樹脂層４の反対面４ａよりも薄くなるため、当該周側面４ｂ側のシールド特性が反対面４ａ側より悪くなる。そこで、配線基板２の上面２ａの周縁部に実装された複数のシールド層用金属ピン５ｃで、シールド層６０の一部を構成することで、当該周側面４ｂ側のシールド特性の向上を図ることができる。以下、シールド層６０のうち、封止樹脂層４の周側面４ｂ側を被覆する部分を側面シールドといい、封止樹脂層４の反対面４ａ側を被覆する部分を天面シールドという場合もある。
【００９６】
＜第１２実施形態＞
本発明の第１２実施形態にかかる高周波モジュール１ｍについて、図２４を参照して説明する。なお、図２４は高周波モジュール１ｍの平面図であって、図１に対応する図である。
【００９７】
この実施形態にかかる高周波モジュール１ｍが、図２３を参照して説明した第１１実施形態の高周波モジュール１ｋと異なるところは、図２４に示すように、シールド層６１の構成が異なることである。その他の構成は、第６実施形態の高周波モジュール１ｆと同じであるため、同一符号を付すことにより説明を省略する。
【００９８】
この場合、シールド層６１は、複数のシールド層用金属ピン５ｃと、封止樹脂層４の反対面４ａおよび各シールド層用金属ピン５ｃの上端面を被覆するシールド膜６とで形成されている。このとき、各シールド層用金属ピン５ｃは、隣接する他の金属ピン５ｃとの間に隙間が略無い状態で、配線基板２の上面２ａの周縁に沿って１列に配列される。そして、シールド層６１の側面シールドが、各シールド層用金属ピン５ｃのみで形成され、シールド膜６は、封止樹脂層４の反対面４ａおよび各シールド層用金属ピン５ｃの上端面を被覆する。なお、各シールド層用金属ピン５ｃの表面に防錆膜を形成してもよい。このようにすると、シールド層用金属ピン５ｃが酸化してシールド特性が劣化するのを防止することができる。防錆膜としては、例えば、ＳＵＳ等の金属を採用することができ、この場合は、シールド膜６の密着膜や保護膜形成時に併せて成膜するようにするとよい。
【００９９】
この構成によると、シールド膜６は、膜厚を増やしやすい封止樹脂層４の反対面４ａを被覆すればよくなるため、シールド膜６の成膜時間の短縮を図ることができる。また、天面シールドがそれほど重要でない場合は、シールド膜６を除くことができ、この場合は、スパッタ等の成膜プロセスが不要になるため、高周波モジュール１ｍの製造コストの低減を図ることができる。
【０１００】
＜第１３実施形態＞
本発明の第１３実施形態にかかる高周波モジュール１ｎについて、図２５を参照して説明する。なお、図２５は高周波モジュール１ｎの平面図であって、図１に対応する図である。
【０１０１】
この実施形態にかかる高周波モジュール１ｎが、図２４を参照して説明した第１２実施形態の高周波モジュール１ｍと異なるところは、図２５に示すように、シールド層６２を構成する各シールド層用金属ピン５ｄの横断面の形状が異なることである。その他の構成は、第１２実施形態の高周波モジュール１ｍと同じであるため、同一符号を付すことにより説明を省略する。
【０１０２】
この場合、各シールド層用金属ピン５ｄの配線基板２の上面２ａと平行な方向の断面（横断面）が、いずれも直線部と曲線部とを有する半円状に形成される。また、各シールド層用金属ピン５ｄは、配線基板２を平面視したときに、いずれも直線部が配線基板２の上面２ａの周縁の一部と重なるように配置される。
【０１０３】
このような各シールド層用金属ピン５ｄの横断面形状は、例えば、高周波モジュール１ｎを多数個取りする製造方法で形成することができる。具体的には、複数の配線基板２が、マトリクス状に配列された配線基板２の集合体の状態で、各高周波モジュール１ｎを製造し、最後にダイシングで高周波モジュール１ｎ単体に個片化する。このとき、横断面が円形の複数のシールド層用金属ピン５ｄを、いずれも隣接する高周波モジュール１ｎの境界線を跨ぐように配列する。そうすると、各シールド層用金属ピン５ｄがダイシングにより２分され、横断面が半円状に形成されるとともに、直線部が配線基板２の上面２ａの周縁の一部と重なるように配置されることになる。
【０１０４】
なお、本実施形態において、金属ピン５ｄの断面形状（配線基板２に平行な方向の断面形状）を矩形にしてもよい。この場合、ダイシングの位置ずれによって金属ピン間に隙間が発生する虞を少なくする事が出来る。また、ダイシングを行わずに固片に金属ピンを搭載する場合にも、矩形の断面形状を有する金属ピンを用いることにより、ピン間の隙間の発生を抑制できる。
【０１０５】
この構成によると、側面シールドが複数のシールド層用金属ピン５ｄで形成される高周波モジュール１を効率よく製造することができる。
【０１０６】
なお、本発明は上記した各実施形態に限定されるものではなく、その趣旨を逸脱しない限りにおいて、上記したもの以外に種々の変更を行なうことが可能である。例えば、上記した各実施形態や変形例の構成を組合わせてもよい。
【０１０７】
また、上記した第１〜第３実施形態では、シールド壁５，５０，５１が、平面視で屈曲部を有するように形成する場合について説明したが、シールド壁５，５０，５１は、屈曲部に代えて、平面視で、なだらかに曲がる湾曲部を有するように形成されていてもよい。
【産業上の利用可能性】
【０１０８】
本発明は、配線基板に実装された部品を被覆する封止樹脂層と、部品間のノイズの相互干渉を防止するシールド壁や、外部からの不要なノイズを遮蔽するシールド層とを備える種々の高周波モジュールに適用することができる。
【符号の説明】
【０１０９】
１ａ〜１ｋ，１ｍ，１ｎ    高周波モジュール
２    配線基板
３ａ〜３ｉ    部品
４    封止樹脂層
５，５０〜５８    シールド壁
５ａ    金属ピン
５ａ１    第１金属ピン
５ａ２    第２金属ピン
５ｃ，５ｄ    シールド層用金属ピン
６    シールド膜（シールド層）
７    ランド電極
１０，１０ａ〜１０ｅ    シールド用電極（ランド電極）
６０〜６２    シールド層
【図１】
2016181954.tif 000003
【図２】
2016181954.tif 000004
【図３】
2016181954.tif 000005
【図４】
2016181954.tif 000006
【図５】
2016181954.tif 000007
【図６】
2016181954.tif 000008
【図７】
2016181954.tif 000009
【図８】
2016181954.tif 000010
【図９】
2016181954.tif 000011
【図１０】
2016181954.tif 000012
【図１１】
2016181954.tif 000013
【図１２】
2016181954.tif 000014
【図１３】
2016181954.tif 000015
【図１４】
2016181954.tif 000016
【図１５】
2016181954.tif 000017
【図１６】
2016181954.tif 000018
【図１７】
2016181954.tif 000019
【図１８】
2016181954.tif 000020
【図１９】
2016181954.tif 000021
【図２０】
2016181954.tif 000022
【図２１】
2016181954.tif 000023
【図２２】
2016181954.tif 000024
【図２３】
2016181954.tif 000025
【図２４】
2016181954.tif 000026
【図２５】
2016181954.tif 000027
【図２６】
2016181954.tif 000028
【手続補正書】
【提出日】平成29年10月19日(2017.10.19)
【手続補正１】
【補正対象書類名】明細書
【補正対象項目名】００７８
【補正方法】変更
【補正の内容】
【００７８】
なお、この実施形態では、各第２金属ピン５ａ２が、いずれも図１３における連結線Ｌの右側で第１金属ピン５ａ１に近接して配置される場合について説明したが、各第２金属ピン５ａ２の一部または全部が当該連結線Ｌの左側で第１金属ピン５ａ１に近接して配置されていてもよい。また、シールド用電極１０ｂの形状は、適宜変更することができる。例えば、図１４に示すように、配線基板２の上面２ａにおける各金属ピン５ａ１，５ａ２の実装位置それぞれに配置された、金属ピン５ａ１，５ａ２の断面（配線基板２の上面２ａと平行な方向の断面：横断面）よりも一回り大きいランド電極が連なって一体化したような形状でシールド用電極１０ｂを形成してもよい。このようにすると、各金属ピン５ａ１，５ａ２を半田実装する際、セルフアライメント効果を利用して所望の位置に容易に配置できる。
【手続補正２】
【補正対象書類名】明細書
【補正対象項目名】００９３
【補正方法】変更
【補正の内容】
【００９３】
この実施形態にかかる高周波モジュール１ｋが、図１０および図１１を参照して説明した第６実施形態の高周波モジュール１ｆと異なるところは、図２３に示すように、シールド膜６と複数のシールド層用金属ピン５ｃとで形成されたシールド層６０を備えることである。その他の構成は、第６実施形態の高周波モジュール１ｆと同じであるため、同一符号を付すことにより説明を省略する。
【国際調査報告】
2016181954.tif 000029
2016181954.tif 000030
2016181954.tif 000031
2016181954.tif 000032